(57)【特許請求の範囲】
【請求項１】
基板直交方向に伸びる板状の基板側接続部を有する全体Ｌ字形状のＬ字状板端子を、絶縁性を有する絶縁部材の端子固定部に固定する構造において、
前記Ｌ字状板端子の相手端子側接続部に固定ピン挿通部分を形成し、
前記相手端子側接続部を載置する載置固定部に固定ピンを設けるとともに、前記端子固定部の載置固定部の両側に前記相手端子側接続部の長手方向全長に亘って壁状に形成される一対の枠部を設け、
前記端子固定部に前記基板側接続部の挿入部分となる挿入部を形成するとともに、該挿入部を前記基板直交方向に伸びるように形成し、さらに、前記挿入部及び前記基板側接続部にそれぞれ位置決め・ガタ抑え部を形成し、
前記基板側接続部を前記挿入部に挿入し、前記固定ピン挿通部分に前記固定ピンを挿通し、前記一対の枠部に案内された前記相手端子側接続部を前記一対の枠部で挟むようにして前記端子固定部の載置固定部に嵌着する
ことを特徴とするＬ字状板端子と絶縁部材との固定構造。
【請求項２】
請求項１に記載のＬ字状板端子と絶縁部材との固定構造において、
前記基板側接続部の前記位置決め・ガタ抑え部を、前記基板側接続部の両側部からそれぞれ突出する凸状部分として形成するとともに、前記挿入部の前記位置決め・ガタ抑え部を、各前記凸状部分を囲むコ字状部分として形成する
ことを特徴とするＬ字状板端子と絶縁部材との固定構造。
【発明の詳細な説明】
【技術分野】
【０００１】
本発明は、Ｌ字状板端子と絶縁部材との固定構造に関し、詳しくは基板側接続部を有するＬ字状板端子を絶縁部材の端子固定部に固定する固定構造に関する。
【背景技術】
【０００２】
従来より自動車の各所には電気接続箱が搭載されている。電気接続箱は、ヒューズブロックやリレーボックスやジャンクションブロックなどと呼ばれるものであって、電気接続箱本体と、この電気接続箱本体に取り付けられる電気部品等と、電気接続箱本体の例えば上側を覆うカバー部材とを備えて構成されている。上記電気部品等としては、小さなもので例えばリレーやヒューズが挙げられ、大きなものでは例えば電源分配ユニット等が挙げられる。尚、電源分配ユニットは、パワーインテグレーションと呼ばれることもある。また、電源分配ユニットは、これ自体が電気接続箱と呼ばれることもある。
【０００３】
図７において、引用符号１は電源分配ユニットを示している。この電源分配ユニット１は、バッテリー等の電源から供給される電力を分配する機能を有して構成されている。具体的な構成としては、例えば矩形の回路基板２と、この回路基板２の表面側に実装される複数のリレー３と、同じく実装される図示しない抵抗やトランジスタやＩＣ等と、矩形の回路基板２の一辺側に設けられるコネクタブロック４と、このコネクタブロック４の反対側の辺に設けられる電源ブロック５（ヒューズブロック）とを備えて構成されている。
【０００４】
回路基板２は、例えばメタルコア基板が用いられている。メタルコア基板は、この構成に導電性金属コア（銅コア）を含んでおり、放熱性や電磁波外乱防止性に優れるものとなっている。
【０００５】
コネクタブロック４は、導電性を有する金属製の複数の端子からなる端子群６及び端子群７と、絶縁性を有する樹脂製の絶縁部材８とを備えて構成されている。端子群６及び端子群７における各端子の基板側接続部（符号省略）は、回路基板２の図示しない分配配索回路に接続されている。絶縁部材８は、回路基板２の表面に対してネジ止め固定されるようになっている。
【０００６】
図７及び図８において、電源ブロック５は、導電性を有する金属製の複数のＬ字状板端子９と、複数の音叉端子１０を有する導電性のバスバー１１と、絶縁性を有する樹脂製の絶縁部材１２とを備えて構成されている。Ｌ字状板端子９は、相手端子側接続部１３と折曲部１４と基板側接続部１５とを有する板状の端子であって、折曲部１４の位置で折り曲げられて全体がＬ字形状となるように形成されている。
【０００７】
相手端子側接続部１３は、回路基板２の表面に対して平行となるように形成されている。すなわち、相手端子側接続部１３は、基板平行方向に伸びるように形成されている。これに対し、基板側接続部１５は、回路基板２の表面に対して直交するように形成されている。すなわち、基板側接続部１５は、基板直交方向に伸びるように形成されている。
【０００８】
相手端子側接続部１３には、音叉端子１６が形成されている。折曲部１４を介して相手端子側接続部１３に連続する基板側接続部１５の端部は、回路基板２の図示しない分配配索回路に接続されている。
【０００９】
Ｌ字状板端子９の音叉端子１６と、バスバー１１の音叉端子１０は、図示しないヒューズのブレード状ヒューズ端子の差し込み接続部分として形成されている。Ｌ字状板端子９の音叉端子１６には、図示しないヒューズの下流側となるブレード状ヒューズ端子が、また、バスバー１１の音叉端子１０には、上流側のブレード状ヒューズ端子が接続されるようになっている。
【００１０】
複数のＬ字状板端子９の各音叉端子１６は、横一列に並ぶように配置されている。また、バスバー１１の複数の音叉端子１０も横一列に並ぶように配置されている。複数の音叉端子１６と、複数の音叉端子１０は、層状となるように配置されている。
【００１１】
絶縁部材１２は、複数のＬ字状板端子９やバスバー１１を固定した後に回路基板２の表面に向けて下ろされ、そして、回路基板２の表面に対しネジ止め固定されるようになっている。回路基板２の表面に向けて絶縁部材１２が下ろされると、この時、基板側接続部１５の端部は回路基板２の所定位置に差し込まれるようになっている。
【００１２】
ところで、上記説明及び図７〜８と若干異なるが、例えば下記特許文献１〜３には、電源分配ユニットや電気接続箱等についての技術が開示されている。
【先行技術文献】
【特許文献】
【００１３】
【特許文献１】特開２０１０−１８７４５８号公報
【特許文献２】特開２００９−１５２１０８号公報
【特許文献３】特開２００６−３３３５８３号公報
【発明の概要】
【発明が解決しようとする課題】
【００１４】
図８において、複数のＬ字状板端子９を絶縁部材１２に対し固定するには、Ｌ字状板端子９を圧入する方法と、インサート成形する方法とのいずれかが採用されるようになる。Ｌ字状板端子９を圧入する方法の場合にあっては、先ず、図中破線で示す如く基板側接続部１５を折り曲げずに真っ直ぐな状態でＬ字状板端子９を絶縁部材１２に挿入する。この挿入を続けると、相手端子側接続部１３の基端部の位置で絶縁部材１２に対し圧入固定される。次に、折曲部１４の位置で基板側接続部１５を直角に折り曲げて全体をＬ字形状にし、これによりＬ字状板端子９を完全な形状にすると、一連の作業が完了する。
【００１５】
Ｌ字状板端子９は、相手端子側接続部１３に音叉端子１６を有することから、この音叉端子１６の変形を防止するためとして、基板側接続部１５の側から絶縁部材１２へ挿入する必要がある。このため、挿入前に全体がＬ字形状になっていては挿入が不能になることから、基板側接続部１５を折り曲げずに真っ直ぐな状態にしておく必要がある。従って、絶縁部材１２に圧入固定をし、この後に折り曲げを施すような工程が必要になることから、専用の設備を用いて精度よく曲げを施さないと回路基板２に対する良好な位置決めが困難になってしまうという問題点を有している。
【００１６】
位置決めが良好でないと、回路基板２の所定位置に対し基板側接続部１５の端部が差し込まれないという不具合が生じてしまうことになる。また、この後の作業性に影響を来してしまうことにもなる。尚、専用の設備を導入するとコスト高を招いてしまうことになる。特に、精度よく曲げを施すことができるようにする必要があるのであれば、一層コスト高になってしまうことになる。
【００１７】
ところで、良好な位置決めが困難になる理由としては、図８に示す如く、圧入固定位置と接続位置とが離れていることが挙げられる。また、圧入固定位置と接続位置との間に折曲部分があることが挙げられる。
【００１８】
この他、Ｌ字状板端子９を圧入する方法の場合にあっては、圧入状態が弱いとガタ付きが生じて、上記同様に回路基板２に対する良好な位置決めが困難になってしまうという問題点を有している。
【００１９】
尚、Ｌ字状板端子をインサート成形する方法の場合にあっては、インサート成形専用の設備が必要になるのは勿論のこと、インサート成形に係る工程が煩雑になるという問題点を有している。
【００２０】
本発明は、上記した事情に鑑みてなされたもので、全体Ｌ字形状のままでＬ字状板端子を固定することが可能な、また、良好な位置決めをすることが可能な、さらには、インサート成形することなく固定をすることが可能な、Ｌ字状板端子と絶縁部材との固定構造を提供することを課題とする。
【課題を解決するための手段】
【００２１】
上記課題を解決するためになされた請求項１記載の本発明のＬ字状板端子と絶縁部材との固定構造は、基板直交方向に伸びる板状の基板側接続部を有する全体Ｌ字形状のＬ字状板端子を、絶縁性を有する絶縁部材の端子固定部に固定する構造において、
前記Ｌ字状板端子の相手端子側接続部に固定ピン挿通部分を形成し、
前記相手端子側接続部を載置する載置固定部に固定ピンを設けるとともに、前記端子固定部の載置固定部の両側に前記相手端子側接続部の長手方向全長に亘って壁状に形成される一対の枠部を設け、
前記端子固定部に前記基板側接続部の挿入部分となる挿入部を形成するとともに、該挿入部を前記基板直交方向に伸びるように形成し、さらに、前記挿入部及び前記基板側接続部にそれぞれ位置決め・ガタ抑え部を形成し、
前記基板側接続部を前記挿入部に挿入し、前記固定ピン挿通部分に前記固定ピンを挿通し、前記一対の枠部に案内された前記相手端子側接続部を前記一対の枠部で挟むようにして前記端子固定部の載置固定部に嵌着することを特徴とする。
【００２２】
このような特徴を有する本発明によれば、絶縁部材における端子固定部の挿入部は、Ｌ字状板端子における基板側接続部の挿入部分として形成される。挿入部は、基板直交方向に伸びるように形成される。従って、Ｌ字状板端子は全体Ｌ字形状のままで絶縁部材の端子固定部に固定される。本発明によれば、挿入部及び基板側接続部に位置決め・ガタ抑え部がそれぞれ形成されることから、挿入部に基板側接続部が挿入されると、位置決め・ガタ抑え部同士が係合して固定状態になり、これによって基板側接続部のガタ付きが抑制されるとともに基板側接続部の位置決めが良好になる。本発明によれば、回路基板への接続を行う部分となる基板側接続部の端部と、位置決め・ガタ抑え部による固定部分との距離が近くなることから、また、折り曲げ位置よりも位置決め・ガタ抑え部の方が基板側接続部の端部に近くなることから、良好な位置決めがなされるようになる。
また、本発明によれば、Ｌ字状板端子における相手端子側接続部の基端部分も絶縁部材の端子固定部に固定される。
【００２３】
請求項２記載の本発明のＬ字状板端子と絶縁部材との固定構造は、請求項１に記載のＬ字状板端子と絶縁部材との固定構造において、前記基板側接続部の前記位置決め・ガタ抑え部を、前記基板側接続部の両側部からそれぞれ突出する凸状部分として形成するとともに、前記挿入部の前記位置決め・ガタ抑え部を、各前記凸状部分を囲むコ字状部分として形成することを特徴とする。
【００２４】
このような特徴を有する本発明によれば、挿入部に基板側接続部が挿入されると、位置決め・ガタ抑え部としてのコ字状部分及び凸状部分が係合する。この係合により挿入部と基板側接続部とが固定状態になり、基板側接続部のガタ付きが抑制されるとともに、基板側接続部の位置決めも良好になる。
【発明の効果】
【００２７】
請求項１に記載された本発明によれば、絶縁部材の端子固定部によりＬ字状板端子を全体Ｌ字形状のままで固定することができるという効果を奏する。また、位置決め・ガタ抑え部により良好な位置決めをすることができるという効果も奏する。この他、本発明によれば、Ｌ字状板端子と絶縁部材との固定時において、Ｌ字状板端子に曲げを施す専用の設備を不要にすることができ、コスト高を抑制することができるという効果を奏する。また、本発明によれば、簡素な固定構造を提供することができるという効果も奏する。本発明によれば、インサート成形することなく固定をすることができるという効果も奏する。
また、本発明によれば、載置固定部によりＬ字状板端子における相手端子側接続部の基端部分と絶縁部材の端子固定部とを固定状態にすることができるという効果を奏する。これにより、Ｌ字状板端子のガタ付きを上下・左右・前後方向（ＸＹＺ全ての方向）で抑制することができるという効果を奏する。
【００２８】
請求項２に記載された本発明によれば、位置決め・ガタ抑え部のより良い一形態を提供することができるという効果を奏する。
【図面の簡単な説明】
【００３０】
【図１】本発明のＬ字状板端子と絶縁部材との固定構造を示す図であり、Ｌ字状板端子側から見た電源ブロックの斜視図である。
【図２】バスバー側から見た電源ブロックの斜視図である。
【図３】絶縁部材における端子固定部の拡大斜視図である。
【図４】Ｌ字状板端子の拡大斜視図である。
【図５】Ｌ字状板端子を端子固定部に挿入する直前の状態を示す斜視図である。
【図６】Ｌ字状板端子を絶縁部材の端子固定部に固定した状態を示す平面図である。
【図７】従来例の電源分配ユニットの斜視図である。
【図８】図７の電源ブロックの拡大斜視図である。
【発明を実施するための形態】
【００３１】
本発明のＬ字状板端子と絶縁部材との固定構造として、Ｌ字状板端子を全体Ｌ字形状のままで絶縁部材の端子固定部に固定する。端子固定部における挿入部と、Ｌ字状板端子における基板側接続部には、位置決め・ガタ抑え部をそれぞれ形成する。
【実施例】
【００３２】
以下、図面を参照しながら実施例を説明する。図１はＬ字状板端子側から見た電源ブロックの斜視図、図２はバスバー側から見た電源ブロックの斜視図、図３は絶縁部材における端子固定部の拡大斜視図、図４はＬ字状板端子の拡大斜視図、図５はＬ字状板端子を端子固定部に挿入する直前の状態を示す斜視図、図６はＬ字状板端子を絶縁部材の端子固定部に固定した状態を示す平面図である。
【００３３】
本実施例は、特に限定するものでないが、図示しない電源分配ユニット（図６が参考になる）における電源ブロックに対し、本発明のＬ字状板端子と絶縁部材との固定構造を採用する例である。ここでは、音叉端子が横一列に並んでこの列が二層となるような例にて説明をするが、この限りでないものとする。例えば、上記二層に対して四層などの場合にも本発明を採用することが可能であるものとする。
【００３４】
図１及び図２において、引用符号２１は電源ブロックを示している。この電源ブロック２１は、従来同様に、図示しない回路基板（図７が参考になる）の表面又は裏面に対してネジ止め固定されるとともに、電気的にも接続されるようになっている。電源ブロック２１は、絶縁性を有する樹脂製の絶縁部材２２と、導電性を有する金属製の複数のＬ字状板端子２３と、導電性を有する金属製の複数のバスバー２４とを備えて構成されている。
【００３５】
複数のＬ字状板端子２３は、本実施例において全て同じ形状に形成されている。一方、複数のバスバー２４は、異なる形状に形成されている。複数のバスバー２４は、それぞれ形状が異なることから、引用符号２４ａ、２４ｂ、２４ｃ…を付している（総称する場合に引用符号２４とする）。
【００３６】
電源ブロック２１は、絶縁部材２２に形成される複数の端子固定部２５に対してＬ字状板端子２３がそれぞれ挿入固定及び載置固定されるように形成されている。また、電源ブロック２１は、絶縁部材２２に形成される複数のバスバー固定部２６に対してバスバー２４がそれぞれ載置固定されるようにも形成されている。尚、複数のバスバー固定部２６は、上記の如くバスバー２４の形状が異なることから、引用符号２６ａ、２６ｂ、２６ｃ…を付している（総称する場合に引用符号２６とする）。
【００３７】
図中の矢印Ｐは図示しない回路基板が存在する側を示している。電源ブロック２１は、図中の矢印Ｐで示す如く、複数の端子固定部２５及びこれに固定されるＬ字状板端子２３が回路基板側となるように配置形成されている。
【００３８】
図１ないし図３において、絶縁部材２２は、合成樹脂材料による射出成形品であって、図示しない成形金型の型割方向が上記矢印Ｐの方向と同じになるように形成されている。従って、絶縁部材２２は、矢印Ｐの方向に貫通孔や有底の穴を形成することが容易な形状に設計されている。このような絶縁部材２２における複数の端子固定部２５は、これらが横一列に並ぶように配置されている。複数の端子固定部２５は、全て同じ形状に形成されている。端子固定部２５に関し、詳細な説明を以下にする。
【００３９】
図３及び図５において、端子固定部２５は、ヒューズ接続部２７と、このヒューズ接続部２７に一端が連続する載置固定部２８と、載置固定部２８の他端から直交方向に伸びる挿入部２９とを有して図示のＬ字形状に形成されている。
【００４０】
ヒューズ接続部２７及び載置固定部２８は、図示しない回路基板に対し平行な方向（基板平行方向）に伸びるように形成されている。また、挿入部２９は、回路基板に対し垂直な方向（基板直交方向）に伸びるように形成されている。
【００４１】
ヒューズ接続部２７は、図示しないヒューズの下流側となるブレード状ヒューズ端子の差し込みをすることができる形状に形成されている。
【００４２】
ヒューズ接続部２７及び載置固定部２８の左右両側には、壁状となる一対の枠部３０が形成されている。一対の枠部３０は、Ｌ字状板端子２３の後述する相手端子側接続部３７の幅寸法に合わせて配置形成されている。具体的には、相手端子側接続部３７の幅寸法よりも僅かに大きくなるような幅寸法で配置形成されている。一対の枠部３０は、相手端子側接続部３７に対するガイド機能を有するように形成されている。
【００４３】
載置固定部２８は、後述する相手端子側接続部３７の基端部分４２（被載置部分４３）を載置固定状態にすることができる形状に形成されている。本実施例においては、平坦な載置部分３１と、この載置部分３１から上記基板直交方向に突出する固定ピン部分３２とを有するように形成されている。固定ピン部分３２は、熱加締めによる突出先端側の潰しによって上記基端部分４２を固定状態にすることができるように形成されている。尚、基端部分４２を載置するにあたり、一対の枠部３０にそれぞれ形成された位置決め凸部分３３が基端部分４２の位置決めに有効となるようになっている。
【００４４】
挿入部２９は、上記の如く、載置固定部２８の他端から直交方向（基板直交方向）に伸びるように形成されている。挿入部２９は、後述する基板側接続部３８の挿入部分として形成されている。また、挿入部２９は、基板側接続部３８の位置決めやガタ付きを抑える部分として形成されている。このような挿入部２９は、本実施例において、端子挿入口３４と、端子摺接部３５と、一対の位置決め・ガタ抑え部３６とを有するように形成されている。
【００４５】
端子挿入口３４は、後述する基板側接続部３８の挿入を開始する開口部分であって、この端子挿入口３４から載置固定部２８の他端に向けて端子摺接部３５及び一対の位置決め・ガタ抑え部３６が真っ直ぐに伸びるように形成されている。端子摺接部３５は、端子挿入口３４を介して挿入された基板側接続部３８の背面が摺接する部分として形成されている。端子摺接部３５は、平坦な面に形成されている。
【００４６】
一対の位置決め・ガタ抑え部３６は、端子摺接部３５の左右両側部に配置形成されている。また、一対の位置決め・ガタ抑え部３６は、この自由端部の間隔がＬ字状板端子２３の後述する折曲部３９の幅に合わせて配置形成、言い換えれば折曲部３９を通過させることができるような寸法関係で配置形成されている。
【００４７】
一対の位置決め・ガタ抑え部３６のうちの一方について説明をすると、位置決め・ガタ抑え部３６は、端子摺接部３５の一部を含み、且つ、基板側接続部３８における後述する位置決め・ガタ抑え部４６を囲むコ字状部分となるような形状に形成されている（図６参照）。
【００４８】
位置決め・ガタ抑え部３６は、基板側接続部３８の後述する位置決め・ガタ抑え部４６をコ字状に囲むことから、基板側接続部３８の位置決めやガタ付きを抑えることができるようになっている。また、位置決め・ガタ抑え部３６は、基板側接続部３８の挿入時にガイドをすることができるようにもなっている。
【００４９】
この他、位置決め・ガタ抑え部３６は、基板側接続部３８の挿入後に、この基板側接続部３８の後述する位置決め・ガタ抑え部４６を抱え込むことができるような形状にも形成されている。
【００５０】
図４及び図５において、Ｌ字状板端子２３は、導電性を有する金属板をプレス加工することによりなる端子であって、図示しない回路基板に対し平行な方向（基板平行方向）に伸びる相手端子側接続部３７と、回路基板に対し垂直な方向（基板直交方向）に伸びる基板側接続部３８と、これら相手端子側接続部３７及び基板側接続部３８の間に介在する折曲部３９とを有して全体Ｌ字形状に形成されている。
【００５１】
相手端子側接続部３７は、音叉端子４０と、この音叉端子４０に一端が連続する載置固定部４１とを有している。音叉端子４０は、図示しないヒューズの下流側となるブレード状ヒューズ端子の差し込み接続をすることができる形状に形成されている。音叉端子４０は、公知の形状に形成されている。載置固定部４１は、相手端子側接続部３７の他端近傍となる基端部分４２であって、折曲部３９に連続するようになっている。
【００５２】
載置固定部４１は、端子固定部２５における載置部分３１に載置される平坦な被載置部分４３と、同じく端子固定部２５における固定ピン部分３２に挿通される固定ピン挿通部分４４と、同じく端子固定部２５における一対の位置決め凸部分３３にそれぞれ挿通される一対の位置決め凹部分４５とを有している。
【００５３】
折曲部３９は、折り曲げにより形成される部分となっている。折曲部３９は、載置固定部４１よりも幅狭に形成されてている。
【００５４】
基板側接続部３８は、一対の位置決め・ガタ抑え部４６を有している。この一対の位置決め・ガタ抑え部を４６は、基板側接続部３８の左右両側部からそれぞれ突出する凸状部分となるように形成されている。本実施例における凸状部分は、略台形となる形状に形成されている。尚、形状を台形にすることにより、この台形の斜面によって挿入をスムーズにすることができるようになっている。
【００５５】
一対の位置決め・ガタ抑え部４６は、端子固定部２５（挿入部２９）における一対の位置決め・ガタ抑え部３６に挿入されると、基板側接続部３８の位置決めがなされたりガタ付きが抑えられたりするようになっている。
【００５６】
基板側接続部３８の端部には、図示しない回路基板の分配配索回路に接続されるピン状の回路接続部４７が形成されている。
【００５７】
図２に戻り、絶縁部材２２の複数のバスバー固定部２６は、上記端子固定部２５と同様に形成されている。すなわち、ヒューズ接続部と、このヒューズ接続部に一端が連続する載置固定部と、載置固定部の他端から直交方向に伸びる挿入部とを有している（符号省略）。尚、上記挿入部は、後述する基板側接続部５０（図１参照）を有するバスバー２４における、基板側接続部５０の挿入部分として形成されている。
【００５８】
バスバー２４は、一又は複数の音叉端子４８を有している。また、バスバー２４は、接続用のタブ４９や、基板側接続部５０等を有している。バスバー２４は、バスバー固定部２６に載置固定されるようになっている。音叉端子４８は、図示しないヒューズの上流側となるブレード状ヒューズ端子の差し込み接続をすることができる形状に形成されている。
【００５９】
上記構成及び構造において、図５に示す如く端子固定部２５の上方からＬ字状板端子２３を下ろし固定に係る作業を開始すると、Ｌ字状板端子２３は折曲部３９あたりから端子固定部２５の挿入部２９に挿入される。挿入開始部分は端子挿入口３４となり、この端子挿入口３４を介して挿入が開始されると、折曲部３９は相手端子側接続部３７との連続部分が挿入部２９の所定部分を通過する。具体的には、挿入部２９側の一対の位置決め・ガタ抑え部３６における自由端部間を通過する。
【００６０】
上記挿入に伴って、Ｌ字状板端子２３はこの基板側接続部３８も挿入部２９に挿入される。図６に示す如く、基板側接続部３８が挿入部２９に挿入されると、基板側接続部３８側の一対の位置決め・ガタ抑え部４６が、挿入部２９側の一対の位置決め・ガタ抑え部３６に係合する。そして、上記挿入が完了すると、一対の位置決め・ガタ抑え部３６、４６同士は上記係合により固定状態になる。
【００６１】
一対の位置決め・ガタ抑え部３６、４６同士が固定状態になると、基板側接続部３８の端部に形成されたピン状の回路接続部４７はこの位置が安定する。
【００６２】
また、上記挿入が完了すると、Ｌ字状板端子２３はこの相手端子側接続部３７が端子固定部２５に載置される。具体的には、相手端子側接続部３７の載置固定部４１が端子固定部２５の載置固定部２８に載置される。この時、相手端子側接続部３７は端子固定部２５の一対の枠部３０によりガイドされる。
【００６３】
最後に、載置固定部４１の固定ピン挿通部分４４から突出する端子固定部２５の固定ピン部分３２を図示しない熱加締め機で潰して熱加締めを施すと、載置固定部２８、４１同士も固定状態になる。これにより、Ｌ字状板端子２３はこのガタ付きが上下・左右・前後方向（ＸＹＺ全ての方向）で抑制されるようになる。従って、基板側接続部３８の回路接続部４７は、この位置が一層安定する。
【００６４】
尚、Ｌ字状板端子２３の固定に係る作業において、相手端子側接続部３７側は端子固定部２５に挿入されないことから、音叉端子４０の変形が生じるような不具合はない。
【００６５】
以上、図１ないし図６を参照しながら説明してきたように、本発明によれば、絶縁部材２２における端子固定部２５の挿入部２９は、Ｌ字状板端子２３における基板側接続部３８の挿入部分として形成される。挿入部２９は、基板直交方向に伸びるように形成されることから、Ｌ字状板端子２３は全体Ｌ字形状のままで端子固定部２５に固定される。
【００６６】
本発明によれば、挿入部２９及び基板側接続部３８に位置決め・ガタ抑え部３６、４６がそれぞれ形成されることから、挿入部２９に基板側接続部３８が挿入されると、位置決め・ガタ抑え部３６、４６同士が係合して固定状態になり、これによって基板側接続部３８のガタ付きが抑制されるとともに、基板側接続部３８（特に回路接続部４７）の位置決めも良好になる。
【００６７】
もう少し具体的に説明すると、挿入部２９に基板側接続部３８が挿入され、これにより位置決め・ガタ抑え部３６のコ字状部分及び位置決め・ガタ抑え部４６の凸状部分同士が係合する。この係合により挿入部２９と基板側接続部３８とが固定状態になり、基板側接続部３８のガタ付きが抑制される。従って、基板側接続部３８の位置決めも良好になる。
【００６８】
本発明によれば、基板側接続部３８の回路接続部４７と、位置決め・ガタ抑え部３６、４６同士による係合固定部分との距離が近くなることから、また、折曲部３９の位置よりも位置決め・ガタ抑え部３６、４６同士による係合固定部分の方が回路接続部４７に近くなることから固定状態が向上し、良好な位置決めをすることができるようになる。
【００６９】
尚、図２から分かるように、バスバー２４は基板側接続部５０を有して全体Ｌ字形状に形成されることから、バスバー２４もＬ字状板端子であると言え、上記本発明を採用することができるものとする。
【００７０】
本実施例において、図示しない回路基板の側にＬ字状板端子２３が配置されるが、この限りでないものとする。すなわち、本実施例とは逆にバスバー２４が回路基板の側に配置されるようであってもよいものとする。
【００７１】
本実施例において説明のない部分（例えば電源分配ユニットの回路基板構成やコネクタブロック）は、図７の従来例と同様であるものとする（一例であるものとする）。
【００７２】
本発明は本発明の主旨を変えない範囲で種々変更実施可能なことは勿論である。
【符号の説明】
【００７３】
２１…電源ブロック
２２…絶縁部材
２３…Ｌ字状板端子
２４…バスバー
２５…端子固定部
２６…バスバー固定部
２７…ヒューズ接続部
２８…載置固定部
２９…挿入部
３０…枠部
３１…載置部分
３２…固定ピン部分
３３…位置決め凸部分
３４…端子挿入口
３５…端子摺接部
３６…位置決め・ガタ抑え部
３７…相手端子側接続部
３８…基板側接続部
３９…折曲部
４０…音叉端子
４１…載置固定部
４２…基端部分
４３…被載置部分
４４…固定ピン挿通部分
４５…位置決め凹部分
４６…位置決め・ガタ抑え部
４７…回路接続部
４８…音叉端子
４９…タブ
５０…基板側接続部
【図１】
0005654323.tif 000002
【図２】
0005654323.tif 000003
【図３】
0005654323.tif 000004
【図４】
0005654323.tif 000005
【図５】
0005654323.tif 000006
【図６】
0005654323.tif 000007
【図７】
0005654323.tif 000008
【図８】
0005654323.tif 000009